(57)【特許請求の範囲】
【請求項１】
室内用の足被覆具であって、足甲と踵と足底とを被覆するとともに足首を露出するルームシューズであって、
足甲を覆う足甲部、踵を覆う踵部および足底を覆う足底部により形成され、
前記足底部に対して上下反対側に足を出し入れするための開口部を設け、
前記足甲部がメッシュ生地を含んで形成され、
前記メッシュ生地が、表側の第一メッシュ生地と肌側の第二メッシュ生地の二重メッシュ構造になっている特徴を備え、前記第二メッシュ生地の方が前記第一メッシュ生地よりもメッシュの目が細かい、ルームシューズ。
【請求項２】
室内用の足被覆具であって、足甲と踵と足底とを被覆するとともに足首を露出するルームシューズであって、
足甲を覆う足甲部、踵を覆う踵部および足底を覆う足底部により形成され、
前記足底部に対して上下反対側に足を出し入れするための開口部を設け、
前記足甲部がメッシュ生地を含んで形成され、
前記メッシュ生地が、表側の第一メッシュ生地と肌側の第二メッシュ生地の二重メッシュ構造になっている特徴を備え、前記第一メッシュ生地の方が前記第二メッシュ生地よりもメッシュ生地の厚みが厚い、ルームシューズ。
【発明の詳細な説明】
【技術分野】
【０００１】
本発明は、主として室内で使用される室内履きであるルームシューズに関し、特に、履き心地が良く、滑りにくく、蒸れにくいルームシューズに関する。
【背景技術】
【０００２】
室内履きの代表的な足被覆具としてスリッパがある。このスリッパは、足を乗せて足裏に直接当接する中敷部材と、足先および甲部を包み込む形状に形成された甲被部材と、スリッパの下側に位置して、床面と直接当接する底部材と、これら中敷部材、甲被部材および底部材を位置決めして結合させる支持部材等によって構成されている。
このようなスリッパにおいては、足の後部（踵部）が覆われることなく露出するため歩く時に足先に若干力を入れないと脱げ易いといった問題があった。特に、主婦が家庭で炊事をしたり、掃除をするといったような家事で頻繁に動くことが多い場合には、スリッパがしばしば脱げかかったりして不安定になり易く、台所の床面等では滑って転んだりする危険がある。
【０００３】
このようなスリッパの脱げやすい問題点を解決するために、足を被覆する部分を増やして足から抜け難い靴の形状に近い室内履き（ルームシューズ）も利用されている。
たとえば、特開平１０−５００２号公報（特許文献１）は、底部、甲部および側部が一体に形成されるとともに、底に縫い目がなく、さらに、ＥＶＡ樹脂製の底板が表面に露出しないように形成して、台所の床面または畳の上でも安心して履けるようにした室内履きを開示する。この特許文献１に開示された室内履きは、底部と甲部および側部とが一体で底に縫い目がなく、底板が表面に露出しない保形されたスリップオンタイプ（本来は着脱の簡単なものの意味であって、結びひもや留め具がなく、足をすべり込ませて簡単に履けるタイプを指す）のものである。
【先行技術文献】
【特許文献】
【０００４】
【特許文献１】特開平１０−５００２号公報
【発明の概要】
【発明が解決しようとする課題】
【０００５】
しかしながら、特許文献１に開示された室内履き（ルームシューズ）は、筒状の甲部、側部および踵部を備えるので、スリッパの脱げやすい問題点を解決できるとしても、以下の問題点がある。
すなわち、底板が表面に露出されていないために室内履き本体の底部がフラットとなるために使用中にひっかかったりして転倒することがないとの発明の効果が第０００９段落に記載されているが、底部がフラットとなるために、却って、引っ掛かりが全くないので滑りやすくなる場合もある。また、内外に表出する外側布地および内側布地がいずれもタオル地等の伸縮性布地により形成されているために全体的にソフトな感触が得られるとともに使用に際して足にフィットして履き心地がよいとの発明の効果が第０００９段落に記載されているが、足甲の大部分をタオル地等の伸縮性布地で覆うために夏季は蒸し暑く履き心地がよくない場合もある。
【０００６】
本発明は、従来技術の上述の問題点に鑑みて開発されたものであり、その目的とするところは、履き心地が良く、滑りにくく、蒸れにくいルームシューズを提供することである。
【課題を解決するための手段】
【０００７】
上記目的を達成するため、本発明に係るルームシューズは以下の技術的手段を講じている。
すなわち、本発明に係るルームシューズは、室内用の足被覆具であって、足甲と踵と足底とを被覆するとともに足首を露出する。このルームシューズは、足甲を覆う足甲部、踵を覆う踵部および足底を覆う足底部により形成され、前記足底部に対して上下反対側に足を出し入れするための開口部を設け、前記足甲部がメッシュ生地を含んで形成されている
特徴、および、前記足底部がキルティング生地を含んで形成されている特徴の少なくともいずれかの特徴を備える。
【発明の効果】
【０００８】
本発明によれば、履き心地が良く、滑りにくく、蒸れにくいルームシューズを提供することができる。
【図面の簡単な説明】
【０００９】
【図１】本発明の実施の形態に係るルームシューズの着用状態を示す全体斜視図である。
【図２】図１のルームシューズの側面図である。
【図３】図１のルームシューズの非着用状態の平面図である。
【図４】図１のルームシューズの非着用状態の裏面図である。
【発明を実施するための形態】
【００１０】
以下、本発明の実施の形態に係るルームシューズ１００を、図面に基づき詳しく説明する。なお、ルームシューズの構造には様々なものがあり、本発明は特定の構造に限定されるものではなく、後述する２つの特徴（第１の特徴および第２の特徴）を備えたものであれば、どのようなルームシューズの構造であっても、ルームシューズを構成する生地の型紙およびその縫製がどのようなものであっても構わない。そのため、以下に示すこのルームシューズ１００の構造自体は単なる例示でしかない。
【００１１】
図１に本実施の形態に係るルームシューズ１００の着用状態を示す全体斜視図を、図２にその側面図を、図３に図１のルームシューズの非着用状態の平面図を、図４にその裏面図を、それぞれ示す。
これらの図に示すように、このルームシューズ１００は、大きくは、ユーザの足Ｆの足甲と踵と足底とを被覆するとともに足首を露出するように、足甲を覆う足甲部１０２、踵を覆う踵部１０８および足底を覆う足底部１０４により形成されている。なお、このルームシューズ１００においては、足甲部１０２から踵部１０８へ向けて、足甲部１０２と一体化された足側部１０６を備える。そして、足底部１０４に対して上下反対側に足を出し入れするための開口部が設けられ、開口部縫着線１１０により開口部の周囲が形成されている。開口部は、足甲部１０２の上部、足側部１０６の上部および踵部１０８の上部で形成されることになる。
【００１２】
このようなルームシューズ１００においては、第１の特徴として足甲部１０２がメッシュ生地を含んで形成されている特徴、および／または、第２の特徴として足底部１０４がキルティング生地を含んで形成されている特徴、を備える。これらの特徴についての詳細は後述する。
このルームシューズ１００は、たとえば、足甲部１０２および足側部１０６を形成するメッシュ生地（後述するように二重メッシュ生地）と踵部１０８を形成する１枚の伸縮性生地とを側部縫着線１２０で縫い合わせて、さらに、これらの足底側と足底部１０４を形成する１枚のキルティング生地（表裏で生地組成が異なる）とを底部縫着線１３０で足底の１周分を縫い合わせすることにより、ルームシューズ１００を立体的に形成している。そして、足甲部１０２の上部と足側部１０６の上部と踵部１０８の上部とを開口部縫着線１１０で縫製して一体化している。
【００１３】
側部縫着線１２０および底部縫着線１３０は、それぞれの生地端部が解けてこないように端部処理され、端部処理が裏側（肌側）に出るように縫着される。開口部縫着線１１０は、その生地端部が解けてこないように、生地端部が開口部縫着線１１０の内部に巻き込まれるようにヘム処理されている。
このように、このルームシューズ１００においては、足底部１０４に対して上下反対側に足を出し入れするための開口部が、足甲部１０２の上部、足側部１０６の上部および踵部１０８の上部に形成された開口部縫着線１１０により形成されている。
【００１４】
この開口部を形成する開口部縫着線１１０は、たとえば、ゴム糸を挿入してダブルウエルトに伸縮性が強くなるように編成されており、伸縮性が強く形成された開口部縫着線１１０により足Ｆが強く締め付けられるので、ルームシューズ１００が足から脱げにくい。
なお、平ゴム等の伸縮性細幅生地を、ルームシューズ１００の開口部の生地に、熱プレス装置で接合するようにしても構わない。
【００１５】
いずれにしても、伸縮性の高い開口部を形成することにより、履きやすく脱げにくいルームシューズ１００を実現することができる。
そして、このルームシューズ１００においては、第１の特徴としての足甲部１０２がメッシュ生地を含んで形成されている特徴、および、第２の特徴としての足底部１０４がキルティング生地を含んで形成されている特徴、の少なくともいずれかを備える。以下に、これらの特徴について図１〜図４を参照して詳しく説明する。
【００１６】
第１の特徴については、足甲部１０２が、表側の第一メッシュ生地１０２Ａと肌側の第二メッシュ生地１０２Ｂの二重メッシュ構造になっており、これらの第一メッシュ生地１０２Ａおよび第二メッシュ生地１０２Ｂは、ポリエステル、ナイロン等の化学繊維、綿その他の繊維から形成されている。
そして、肌側の第二メッシュ生地１０２Ｂの方が第一メッシュ生地１０２Ａよりもメッシュの目が細かく肌触りがよく、表側の第一メッシュ生地１０２Ａの方が第二メッシュ生地１０２Ｂよりもメッシュ生地の厚みが厚くクッション性がよい。ただし、本発明がこのような二重メッシュ生地に限定されるものではない。
【００１７】
このようにルームシューズ１００が足Ｆを覆う多くの部分をメッシュ生地で形成しているので、夏季であってもルームシューズ１００内部が蒸れることなく履き心地がよい。
なお、このルームシューズ１００においては足甲部１０２（足甲部１０２から踵部１０８まで延設される足側部１０６も含めて）の全体がメッシュ生地で形成されているとしたが、足甲部１０２および足側部１０６の少なくとも一部がメッシュ生地で形成されていれば構わない。
【００１８】
第２の特徴については、足底部１０４が、表側の第一生地１０４Ａと肌側の第二生地１０４Ｂとの間にクッション性がある綿、芯または羽毛などを挟み、ランニング・ステッチで止め付けたキルティング生地で形成されている。
そして、肌側の第二生地１０４Ｂが肌触りが良く吸湿性の高い天然繊維（綿等）を含む生地で形成され、表側の第一生地１０４Ａが合成皮革またはラミネート加工された滑りにくい生地等で形成されている。ただし、本発明がこのような生地に限定されるものではない。
【００１９】
このようにルームシューズ１００の足底部１０４を、（１）キルティング生地で形成したことにより、（１−１）クッション性がよいので履き心地がよく、（１−２）床面に当接する側にランニング・ステッチのわずかな凹凸があるので滑りにくいために室内で歩きやすく、（２）足底部１０４の肌側の第二生地１０４Ｂが肌触りが良く吸湿性の高いので蒸れることなく、（３）足底部１０４の外側の第一生地１０４Ａが滑りにくい生地であるのでたとえ床面が水で濡れていても滑りにくいために室内で歩きやすい。
【００２０】
なお、このルームシューズ１００においては足底部１０４の全体がキルティング生地で形成されているとしたが、足底部１０４の少なくとも一部がキルティング生地で形成されていれば構わない。
以上のようにして、本実施の形態に係るルームシューズ１００によると、足甲を覆う足甲部１０２、踵を覆う踵部１０８および足底を覆う足底部１０４により形成され、足甲部１０２がメッシュ生地を含んで形成され、足底部１０４がキルティング生地を含んで形成されているので、夏季であってもルームシューズ１００内部が蒸れることなく履き心地がよく、滑りにくいために室内で歩きやすい。
【００２１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明は、室内で履くルームシューズ（室内履き）に好適であり、履き心地が良く、滑りにくく、夏季であっても蒸れにくいルームシューズに特に好ましい。
【符号の説明】
【００２３】
１００  ルームシューズ
１０２  足甲部
１０２Ａ  表側足甲部
１０２Ｂ  肌側足甲部
１０４  底板部
１０４Ａ  表側底板部
１０４Ｂ  肌側底板部
１０６  足側部
１０６Ａ  表側足側部
１０６Ｂ  肌側足側部
１０８  踵部
１１０  開口部縫着線
１２０  側部縫着線
１３０  底部縫着線
【図１】
0006389399.tif 000002
【図２】
0006389399.tif 000003
【図３】
0006389399.tif 000004
【図４】
0006389399.tif 000005